(57)【要約】【課題】ブロードバンド接続可能なテレビ映像受信機において、オンエアー番組情報から関連ブロードバンドコンテンツを検索し、容易に再生することを可能とする。【解決手段】検索サイト（１０２）上の、オンエアー番組情報と映像受信機動画再生機能情報を元に、ブロードバンド動画コンテンツを検索するサービス（１０３）を利用し、映像受信機（１０１）で番組内容表示などのＵＩから容易にブロードバンド配信事業者（１０４）が提供するブロードバンド動画コンテンツを再生・視聴することを可能とする。【選択図】図１
2008211274.tif 000002
【特許請求の範囲】
【請求項１】
放送波を受信する放送受信部と、
前記放送受信部で受信した放送信号を解析する放送信号解析部と、
前記放送信号解析部からの映像信号を処理し映像出力を行う映像処理部と、
前記放送信号解析部からの音声信号を処理し音声出力を行う音声処理部と、
前記放送信号解析部からの番組情報を解析する番組情報解析部と、
インターネットに接続するインターネット接続部と、
前記インターネット接続部を介して、前記映像処理部並びに前記音声処理部で処理可能な端末能力情報、及び前記番組情報解析部で抽出した番組情報を送信する番組検索条件送信部と、
前記インターネット接続部を介して、コンテンツを受信する配信情報受信部と、
前記コンテンツを前記映像処理部及び音声処理部を用いて再生する再生部と、
を備えた映像受信機。
【請求項２】
視聴された番組の履歴を蓄積する視聴履歴格納部と、
前記視聴履歴格納部の視聴履歴を基に、前記番組情報を作成する番組情報推定部と、
を備えた請求項１に記載の映像受信機。
【請求項３】
前記コンテンツを蓄積するコンテンツ蓄積部と、
前記コンテンツ蓄積部上のコンテンツと、前記配信情報受信部で受信したコンテンツを選択し、前記再生部で再生するコンテンツ選択部と、
を備えた請求項１又は２に記載の映像受信機。
【請求項４】
請求項１から３に記載の映像受信機と、前記映像受信機とインターネットを介して接続するコンテンツサーバ及び検索サーバーとからなるブロードバンド番組検索システムであって、
前記コンテンツサーバは、インターネット接続部と、
コンテンツを格納したコンテンツ格納部と、
前記コンテンツに関するコンテンツ関連情報を送信するコンテンツ関連情報送信部と
前記映像受信機からのコンテンツ送信要求に対して、前記インターネット接続部を介して、前記コンテンツを送信するコンテンツ送信部とを備え、
前記検索サーバーは、インターネット接続部と、
前記インターネット接続部に介して、前記コンテンツ関連情報を収集し、前記映像受信機から受信した前記端末能力情報及び前記番組情報とを基に、前記映像受信機で再生するコンテンツを選別するコンテンツ選別部と、
前記選別されたコンテンツの一覧を前記映像受信機に送信するコンテンツ情報送信部とを備えたブロードバンド番組検索システム。
【発明の詳細な説明】
【技術分野】
【０００１】
本発明はブロードバンド接続され、ネットワーク配信される動画コンテンツの再生が可能な映像受信機、および、映像受信機により構成されるブロードバンド番組検索システムに関するものである。
【背景技術】
【０００２】
従来、映像受信機は放送波を受信し、放送波をデコードし画面に表示するものであったが、近年、インターネット接続インターフェースを備え、インターネット接続可能なものが増えている。また、各家庭においても、ブロードバンド環境が普及し、ブロードバンドによる動画配信サービスを受けるための環境が整いつつあり、デジタルテレビを用いて動画コンテンツを表示することも可能となってきている。
【０００３】
インターネット接続可能な映像受信機において、インターネット上の情報を活用する技術として、特許文献１があり、放送波をデコードして得た番組情報を基に、インターネット上で番組情報に関連するウェブサイトを検索し、映像受信機上に表示する技術が開示されている。
【特許文献１】特開２００４−２３３４５号公報
【発明の開示】
【発明が解決しようとする課題】
【０００４】
従来、ブロードバンド動画コンテンツを再生する機能を有する映像受信機であっても、放送波により配信される番組を視聴しているときに、ブロードバンド動画コンテンツへの誘導は無く、ブロードバンド動画コンテンツを視聴するためには、メニューからブロードバンドに接続し、動画サーバーに接続し、動画サーバーが提供する番組メニューから順に選択し、目的の動画を探すという操作が必要になる。
【０００５】
本発明は、放送波で放送されるコンテンツとブロードバンドにより配信される動画コンテンツを関連付け、より視聴者の利便性を高め、ブロードバンド利用を促進するものである。
【課題を解決するための手段】
【０００６】
本発明の映像受信機は、放送波を受信する放送受信部と、前記放送受信部で受信した放送信号を解析する放送信号解析部と、前記放送信号解析部からの映像信号を処理し映像出力を行う映像処理部と、前記放送信号解析部からの音声信号を処理し音声出力を行う音声処理部と、前記放送信号解析部からの番組情報を解析する番組情報解析部と、インターネットに接続するインターネット接続部と、前記インターネット接続部を介して、前記映像処理部並びに前記音声処理部で処理可能な端末能力情報、及び前記番組情報解析部で抽出した番組情報を送信する番組検索条件送信部と、前記インターネット接続部を介して、コンテンツを受信する配信情報受信部と、前記コンテンツを前記映像処理部及び音声処理部を用いて再生する再生部とを備える。
【発明の効果】
【０００７】
視聴者は、映像受信機で放送を視聴している際に、特に切り替えを意識することなく、番組に関連するブロードバンド動画コンテンツへと誘導され、ストレス無く、放送番組、及びブロードバンド動画コンテンツを楽しむことができ、視聴時の利便性を高めることができる。
【発明を実施するための最良の形態】
【０００８】
以下、本発明の実施の形態について、図面を用いて詳細に説明する。
（実施の形態１）
図１は、本発明の実施の形態１におけるブロードバンド番組検索システムの構成を示す図である。図１において、１０１は映像受信機であり、１０２は検索サーバーであり、１０３は検索サーバーが利用する番組情報データベースであり、１０４は動画コンテンツを提供するコンテンツ配信事業者である。
【０００９】
映像受信機１０１は、放送波を受信して映像、音声の出力を行うとともに、ネットワーク接続機能を有し、ブロードバンドで配信される動画を再生する能力を有する。
【００１０】
検索サーバー１０２は、パートナー関係にあるコンテンツ事業者１０４の番組情報を、検索ロボットなどを用いて収集し、番組情報データベース１０３を構築しており、映像受信機１０１からの要求に対して、適切なブロードバンドコンテンツをインターネットから検索し、映像受信機１０１にその結果を送信する機能を有する。
【００１１】
映像受信機１０１の構成の詳細を図２に示す。図２において、映像受信機１０１は、アンテナ２０１、チューナー２０２、復調部２０３、復号部２０４、音声処理部２０５、映像処理部２０６、提示部２０６、インターネット接続インタフェース２１６を含む。
【００１２】
アンテナ２０１は、放送局から送信された放送波を受信する。チューナー２０２は、アンテナ２０１により受信された放送波をデジタル変調された複数の放送信号に変換し、複数の放送信号から使用者により選局されたチャンネルに対応する放送信号を選択する。
【００１３】
復調部２０３は、チューナー２０２から出力される放送信号をトランスポートストリームに復調する。復号部２０４は、トランスポートストリームを映像信号、音声信号、番組情報に復号する。
【００１４】
音声処理部２０５は、復号部２０４から与えられる音声信号を処理し、音声出力を行う。映像処理部２０６は、復号部２０４からの映像信号を処理し、提示部２０７を介して映像出力を行う。番組情報解析部２１４は、放送波中の番組に関する情報および番組表表示のための現時点から８日間またはそれ以上の期間の番組表情報を抽出し処理するとともに、その番組に関連するコンテンツ、情報をインターネット上で検索するための番組情報を作成する。
【００１５】
インターネット接続インタフェース２１６は、インターネット２１５へ接続し、インターネット２１５上の各種情報機器との間で情報の送受信を行う。
【００１６】
Ｉ／０２０８の一つとして、リモコンインターフェイスがあり、使用者の操作によりリモコンから送信される操作信号および各種データを受信する。
【００１７】
以下、映像受信機１０１およびブロードバンド番組検索システムの動作について説明する。図３は、映像受信機１０１の動作を示すフローチャート、図４はブロードバンド番組検索システムを構成する映像受信機１０１、検索サーバ１０２およびコンテンツ配信業者１０４との間での情報のやりとりを示すシーケンス図である。
【００１８】
映像受信機１０１は、視聴者による操作に基づき、放送波から蓄積した番組情報をもとに、近日放送される番組を示す番組表を表示する（ステップＳ３０１）。表示された番組表において、視聴者は番組を選択する（ステップＳ３０２）。
【００１９】
映像受信機１０１は、インターネット接続インタフェース２１６がインターネット２１５と接続されているかどうかを判定し（ステップＳ３０３）、接続されていない場合は、ブロードバンド接続不可であることを示す情報を画面上に表示（ステップＳ３０４）した後、放送波経由で取得した番組情報を表示する（ステップＳ３０５）。
【００２０】
インターネットに接続されている場合には、映像受信機１０１は、選択した番組に関する番組情報を番組情報解析部２１４により取得し、番組情報及び端末能力情報を、検索サーバー１０２に対して送信する（ステップＳ３０６、Ｓ４０１）。ここで端末能力情報とは、たとえば、識別可能なプロトコル、ストリーム形式、デコード可能な映像コーデック、音声コーデック、画像解像度、最大ビットレート、プロファイルに関する情報を指す。ＨＴＴＰヘッダーの拡張として定義し、映像受信機１０１からの要求とともに送信することができる。番組情報は、フォームデータ（ＣＧＩに対する引数）として送るのが自然であるが、検索サーバー１０２との間で取り決めれば、ＨＴＴＰヘッダーを独自に拡張して埋め込むことも可能である。
【００２１】
検索サーバー１０２は、受信した番組情報を基に、番組情報データベース１０３を用いて、番組に関連するコンテンツを検索し、検索したコンテンツの中から、端末能力情報を基に映像受信機１０１で再生可能なコンテンツを選択し、選択したコンテンツの一覧を映像受信機１０１に送信する（ステップＳ４０２）。
【００２２】
番組に関連するコンテンツとしては、例えば、その番組の過去放送分の内容、番組のプロモーション映像、番組の解説、番組をテーマにしたバラエティ・パロディ番組などがある。あるいは、同じジャンルの番組とか、おすすめ番組などであってもよい。
【００２３】
映像受信機１０１は、受信したコンテンツ一覧（ステップＳ３０８）を放送波経由で取得した番組情報とともに表示する（ステップＳ３０８）。受信したコンテンツ一覧を表示した画面の一例を図５に示す。この画面表示は、通常の番組情報からページをめくることにより表示されるか、または画面を分割して番組情報と同時に表示させることもできる。
【００２４】
図５に示す画面において、左端の列の再生ボタン５０２を選択することにより、該当するコンテンツが再生され、内容の列のアイコン５０３を選ぶことにより、インターネット上の詳細情報が表示される。
【００２５】
なお、画面に再生ボタンを配置する代わりに、リモコン側に再生キーを設けてもよく、また、リモコンの決定キーを用いてもよい。
【００２６】
視聴者の操作により、コンテンツの再生要求が行われた際には（ステップＳ３０９）、検索サーバー１０２から受信したコンテンツ一覧上にある該当コンテンツを保持するコンテンツ配信事業者１０４のＵＲＬを検索し、コンテンツ配信事業者１０４に対して、コンテンツの配信要求を行う（ステップＳ４０４）。この際、必要に応じて会員登録、端末認証、個人認証、番組購入手続き、コンテンツ保護（ＤＲＭ）に関する手続きを行う（ステップＳ３１０、ステップＳ４０３）。
【００２７】
映像受信機１０１は、配信されたコンテンツを受信（ステップＳ３１１、ステップＳ４０５）した後、再生アプリケーションを用いてコンテンツを再生する（ステップＳ３１２）。ＨＴＭＬコンテンツの場合は、ＨＴＭＬブラウザを実行し、ＨＴＭＬコンテンツの記述に従い、画面の一部または全体でコンテンツを再生する。このとき、再生アプリケーションはブラウザのプラグインの扱いとなる。
【００２８】
映像受信機１０１での再生は、映像フォーマット／プロトコルと関連付けられたアプリケーション、または、コンテンツで指定されたプラグインで行う。
【００２９】
以上により、視聴者は、放送波中に含まれる番組表を用いて、各種操作を行うことにより、放送される番組のみでなく、その番組に関連したインターネット上に存在するブロードバンド動画コンテンツについても、特に切り替えを意識することなく、楽しむことができ、視聴時の利便性を高めることができる。
（実施の形態２）
第２の本発明の実施の形態における映像受信機の構成を図６に示す。実施の形態１の映像受信機と同じ構成要素に関しては、同じ番号を付与し、説明を省略する。
【００３０】
図６において、２１７は視聴履歴格納部であり、視聴者が行った視聴予約、録画予約の情報を蓄積する。
【００３１】
実施の形態２における動作について、実施の形態１との相違点を説明する。図３のフローチャートにおけるユーザ操作による番組表の表示（ステップＳ３０１）の際に、放送波から蓄積した番組情報とともに、視聴履歴格納部２１７上の視聴履歴等の情報も、併せて表示する。
【００３２】
なお、表示する視聴履歴格納部２１７上の視聴履歴等の情報としては、視聴予約又は録画予約が失敗した情報に限って表示するとしても良い。
【００３３】
また、番組表に表示する情報としては、表示視聴履歴格納部２１７上の視聴履歴または予約履歴から、視聴者の好みを推測し、視聴者が興味を持ちそうな番組のみを表示しても良い。
【００３４】
その番組を視聴者が選択すること（ステップＳ３０２）により、その番組情報を用いて検索サーバー１０２に問い合わせを行い、同一の番組コンテンツを有するコンテンツ配信業者１０４から、コンテンツの配信を受け、再生する。
【００３５】
なお、まったく同一のコンテンツが無ければ、あらすじなどのガイド番組でも良い。
（実施の形態３）
本発明の第３の実施の形態は、検索用キーとして映像受信機１０１は、放送事業者コードと時刻情報を送るのみで、検索サーバー１０２側で番組情報データベース１０３から番組情報を得、関連コンテンツを検索する。映像受信機１０１から検索キーを送る場合に比べ、トラフィックを削減できる。そのかわり、検索サーバー１０２にはある程度過去の放送番組の情報も番組情報データベース１０３上に蓄積しておく必要がある。
（実施の形態４）
本発明の第４の実施の形態における映像受信機の構成を図７に示す。実施の形態１の映像受信機と同じ構成要素に関しては、同じ番号を付与し、説明を省略する。
【００３６】
図７において、２１８はコンテンツ蓄積部であり、インターネット経由で配信されたコンテンツを蓄積するとともに、コンテンツ蓄積部２１８上のコンテンツの一覧を視聴者に表示し、蓄積コンテンツの一覧から選択されたコンテンツの再生手段を備える。オリジナルのファイルのＵＲＬと映像受信機内のパス名の対応表を持ち、検索結果一覧からでも、映像受信機内のコンテンツを再生できるとしても良い。
【００３７】
これにより、ライセンスが有効な期間、コンテンツ蓄積部２１８上のコンテンツを何度でも再生することが可能となる。
【産業上の利用可能性】
【００３８】
放送波で配信される番組と、ブロードバンドで配信される番組のシームレスな切り替えに応用することができる。
【図面の簡単な説明】
【００３９】
【図１】本発明の一実施の形態におけるブロードバンド番組検索システムの構成図
【図２】本発明の一実施の形態における映像受信機の構成図
【図３】本発明の一実施の形態における映像受信機の処理を示すフローチャート
【図４】本発明の一実施の形態におけるシステムのシーケンス図
【図５】本発明の一実施の形態におけるコンテンツ一覧表示を示す図
【図６】本発明の他の実施の形態における映像受信機の構成図
【図７】本発明の他の実施の形態における映像受信機の構成図
【符号の説明】
【００４０】
１０１    映像受信機
１０２    検索サーバー
１０３    番組情報データベース
１０４    コンテンツ配信業者
２０１    アンテナ
２０２    チューナー
２０３    復調部
２０４    復号部
２０５    音声処理部
２０６    映像処理部
２０７    提示部
２０８    入出力インタフェース
２１５    インターネット網
２１６    インターネット接続インターフェース
２１７    視聴履歴格納部
２１８    コンテンツ蓄積部
【図１】
2008211274.tif 000003
【図２】
2008211274.tif 000004
【図３】
2008211274.tif 000005
【図４】
2008211274.tif 000006
【図５】
2008211274.tif 000007
【図６】
2008211274.tif 000008
【図７】
2008211274.tif 000009